(57)【要約】【課題】家庭電気製品を収納した状態で使用できるようにした家庭電気製品収納庫において、家庭電気製品から発生する輻射熱を防熱する必要をなくし、コンパクトな家庭電気製品収納庫を提供する。【解決手段】キャビネット１内に、家庭電気製品４を収納する前面が開口した家庭電気製品収納部２を設け、この家庭電気製品収納部２に家庭電気製品４へ給電する給電手段６を設けるとともに家庭電気製品４を載置して前方に引き出し自在な家庭電気製品収納棚３を設ける。この家庭電気製品収納棚３の位置を検知する棚位置検知手段７により家庭電気製品収納棚３が家庭電気製品収納部２内に収納されていると検知したとき、給電手段６への給電を停止するよう構成する。【選択図】図１
2006334128.tif 000002
【特許請求の範囲】
【請求項１】
キャビネットと、このキャビネット内に設け家庭電気製品を収納する前面が開口した家庭電気製品収納部と、この家庭電気製品収納部に設け家庭電気製品へ給電する給電手段と、前記家庭電気製品収納部に設け家庭電気製品を載置して前方に引き出し自在な家庭電気製品収納棚と、この家庭電気製品収納棚の位置を検知する棚位置検知手段とを備え、前記棚位置検知手段により前記家庭電気製品収納棚が家庭電気製品収納部内に収納されていると検知したとき、前記給電手段への給電を停止するよう構成した家庭電気製品収納庫。
【請求項２】
キャビネットと、このキャビネット内に設け家庭電気製品を収納する前面が開口した家庭電気製品収納部と、この家庭電気製品収納部に設け家庭電気製品へ給電する給電手段と、前記家庭電気製品収納部の前面開口部を開閉自在に覆う扉と、この扉の開閉を検知する扉開閉検知手段とを備え、前記扉開閉検知手段により前記扉が閉められていると検知したとき、前記給電手段への給電を停止するよう構成した家庭電気製品収納庫。
【請求項３】
キャビネットと、このキャビネット内に設け家庭電気製品を収納する前面が開口した第１の家庭電気製品収納部と、前記キャビネット内に設け家庭電気製品を収納する前面が開口し天面に家庭電気製品から排出される熱気、蒸気を外部へ排出する排出装置を設けた第２の家庭電気製品収納部と、これら第１および第２の家庭電気製品収納部にそれぞれ設け家庭電気製品へ給電する第１および第２の給電手段と、前記第１および第２の家庭電気製品収納部にそれぞれ設け家庭電気製品を載置して前方に引き出し自在な第１および第２の家庭電気製品収納棚と、前記第１の家庭電気製品収納棚の位置を検知する棚位置検知手段とを備え、前記棚位置検知手段により前記第１の家庭電気製品収納棚が第１の家庭電気製品収納部内に収納されていると検知したとき、前記第１の給電手段への給電を停止するよう構成した家庭電気製品収納庫。
【請求項４】
キャビネットと、このキャビネット内に設け家庭電気製品を収納する前面が開口した第１の家庭電気製品収納部と、前記キャビネット内に設け家庭電気製品を収納する前面が開口し天面に家庭電気製品から排出される熱気、蒸気を外部へ排出する排出装置を設けた第２の家庭電気製品収納部と、これら第１および第２の家庭電気製品収納部にそれぞれ設け家庭電気製品へ給電する第１および第２の給電手段と、前記第１および第２の家庭電気製品収納部の前面開口部を開閉自在に覆う扉と、この扉の開閉を検知する扉開閉検知手段とを備え、前記扉開閉検知手段により前記扉が閉められていると検知したとき、前記第１の給電手段への給電を停止するよう構成した家庭電気製品収納庫。
【請求項５】
報知動作をする報知手段を備え、前記報知手段は、給電手段への給電を停止したとき報知するよう構成した請求項１〜４のいずれか１項に記載の家庭電気製品収納庫。
【発明の詳細な説明】
【技術分野】
【０００１】
本発明は、家庭電気製品を収納した状態で使用できるようにした家庭電気製品収納庫に関するものである。
【背景技術】
【０００２】
従来、この種の家庭電気製品収納庫は、キャビネット内に、家庭電気製品を収納する箱型の家庭電気製品収納部を設け、この家庭電気製品収納部の前面に扉を設け、この扉は家庭電気製品の使用時には家庭電気製品と収納部壁面との間の空間に格納できるようにし、また、この扉は格納した状態で、家庭電気製品に対向する面を鋼製とし、扉内部を中空として有効な断熱空間を構成し、収納時に台所の外観を美麗に保持するよう構成していた（例えば、特許文献１参照）。
【特許文献１】特開昭６１−３０８号公報
【発明の開示】
【発明が解決しようとする課題】
【０００３】
このような従来の構成では、家庭電気製品を収納して使用する場合に、コンパクトに、そして扉を設けすっきり収納したいという強い要望を満足することができるが、家庭電気製品から発生する輻射熱を有効に防熱する必要があるため、家庭電気製品の使用時には、扉を家庭電気製品と収納部壁面との間の空間に格納し、また、この扉は格納した状態で、家庭電気製品に対向する面を鋼製とし、扉内部を中空として有効な断熱空間を構成する必要があることから、キャビネットが大きくなるが大きくなってしまうという問題を有していた。
【０００４】
本発明は上記従来の課題を解決するもので、家庭電気製品から発生する輻射熱を防熱する必要をなくし、コンパクトな家庭電気製品収納庫を提供することを目的としている。
【課題を解決するための手段】
【０００５】
本発明は上記目的を達成するために、キャビネット内に、家庭電気製品を収納する前面が開口した家庭電気製品収納部を設け、この家庭電気製品収納部に家庭電気製品へ給電する給電手段を設けるとともに家庭電気製品を載置して前方に引き出し自在な家庭電気製品収納棚を設けるよう構成し、この家庭電気製品収納棚の位置を検知する棚位置検知手段により家庭電気製品収納棚が家庭電気製品収納部内に収納されていると検知したとき、給電手段への給電を停止するよう構成したものである。
【０００６】
これにより、家庭電気製品を使用する場合は家庭電気製品収納棚を引き出して使用し、収納状態では通電動作することがないため、家庭電気製品から発生する輻射熱を防熱する必要がなく、コンパクトな家庭電気製品収納庫を提供することができる。
【発明の効果】
【０００７】
本発明の家庭電気製品収納庫は、家庭電気製品から発生する輻射熱を防熱する必要がなく、コンパクトな家庭電気製品収納庫を提供することができる。
【発明を実施するための最良の形態】
【０００８】
第１の発明は、キャビネットと、このキャビネット内に設け家庭電気製品を収納する前面が開口した家庭電気製品収納部と、この家庭電気製品収納部に設け家庭電気製品へ給電する給電手段と、前記家庭電気製品収納部に設け家庭電気製品を載置して前方に引き出し自在な家庭電気製品収納棚と、この家庭電気製品収納棚の位置を検知する棚位置検知手段とを備え、前記棚位置検知手段により前記家庭電気製品収納棚が家庭電気製品収納部内に収納されていると検知したとき、前記給電手段への給電を停止するよう構成したものであり、家庭電気製品を使用する場合は家庭電気製品収納棚を引き出して使用し、収納状態では通電動作することがないため、家庭電気製品から発生する輻射熱を防熱する必要がなく、コンパクトな家庭電気製品収納庫を提供することができる。
【０００９】
第２の発明は、キャビネットと、このキャビネット内に設け家庭電気製品を収納する前面が開口した家庭電気製品収納部と、この家庭電気製品収納部に設け家庭電気製品へ給電する給電手段と、前記家庭電気製品収納部の前面開口部を開閉自在に覆う扉と、この扉の開閉を検知する扉開閉検知手段とを備え、前記扉開閉検知手段により前記扉が閉められていると検知したとき、前記給電手段への給電を停止するよう構成したものであり、扉を閉めた状態では通電動作することがなく、扉に家庭電気製品から発生する輻射熱を防熱する必要がなく、コンパクトで扉を設けた家庭電気製品収納庫を提供することができる。
【００１０】
第３の発明は、キャビネットと、このキャビネット内に設け家庭電気製品を収納する前面が開口した第１の家庭電気製品収納部と、前記キャビネット内に設け家庭電気製品を収納する前面が開口し天面に家庭電気製品から排出される熱気、蒸気を外部へ排出する排出装置を設けた第２の家庭電気製品収納部と、これら第１および第２の家庭電気製品収納部にそれぞれ設け家庭電気製品へ給電する第１および第２の給電手段と、前記第１および第２の家庭電気製品収納部にそれぞれ設け家庭電気製品を載置して前方に引き出し自在な第１および第２の家庭電気製品収納棚と、前記第１の家庭電気製品収納棚の位置を検知する棚位置検知手段とを備え、前記棚位置検知手段により前記第１の家庭電気製品収納棚が第１の家庭電気製品収納部内に収納されていると検知したとき、前記第１の給電手段への給電を停止するよう構成したものであり、第１の家庭電気製品収納棚に載置して第１の家庭電気製品収納部内に家庭電気製品を収納した状態では、第１の給電手段への給電を停止するので家庭電気製品は動作することがなく、発生する輻射熱が大きい家庭電気製品であっても特別な防熱構造が必要となることはなく、また、蒸気を排出する家庭電気製品は第２の家庭電気製品収納部に収納したままで使用可能であり、コンパクトな家庭電気製品収納庫を提供することができる。
【００１１】
第４の発明は、キャビネットと、このキャビネット内に設け家庭電気製品を収納する前面が開口した第１の家庭電気製品収納部と、前記キャビネット内に設け家庭電気製品を収納する前面が開口し天面に家庭電気製品から排出される熱気、蒸気を外部へ排出する排出装置を設けた第２の家庭電気製品収納部と、これら第１および第２の家庭電気製品収納部にそれぞれ設け家庭電気製品へ給電する第１および第２の給電手段と、前記第１および第２の家庭電気製品収納部の前面開口部を開閉自在に覆う扉と、この扉の開閉を検知する扉開閉検知手段とを備え、前記扉開閉検知手段により前記扉が閉められていると検知したとき、前記第１の給電手段への給電を停止するよう構成したものであり、第１の家庭電気製品収納棚に載置して第１の家庭電気製品収納部内に家庭電気製品を収納し扉を閉めた状態では、第１の給電手段への給電を停止するので家庭電気製品は動作することがなく、発生する輻射熱が大きい家庭電気製品であっても特別な防熱構造が必要となることはなく、また、蒸気を排出する家庭電気製品は第２の家庭電気製品収納部に収納し扉を閉めたままで使用可能であり、すっきりしたキッチン空間を実現した家庭電気製品収納庫を提供することができる。
【００１２】
第５の発明は、上記第１〜４のいずれか１つの発明において、報知動作をする報知手段を備え、前記報知手段は、給電手段への給電を停止したとき報知するよう構成したものであり、家庭電気製品への給電状態を使用者が確認でき、使い勝手を向上することができる。
【００１３】
以下、本発明の実施の形態について、図面を参照しながら説明する。なお、この実施の形態によって本発明が限定されるものではない。
【００１４】
（実施の形態１）
図１および図２に示すように、キャビネット１は、前面が開口した家庭電気製品収納部２を有し、この家庭電気製品収納部２の中に引き出しレール（図示せず）により前後方向に移動自在に家庭電気製品収納棚３を設け、この家庭電気製品収納棚３に家庭電気製品４を載置して家庭電気製品収納部２内に家庭電気製品４を収納するように構成している。家庭電気製品収納部２の前面に扉５を開閉自在に設けている。
【００１５】
給電手段６は、コンセントにより構成し、家庭電気製品４を接続して給電するもので、家庭電気製品収納部２に設けている。棚位置知手段７は、家庭電気製品収納棚３の位置を検知するもので、棚位置知手段７の出力により制御手段８を動作するよう構成している。
【００１６】
すなわち、図３に示すように、制御手段８はコイル８ａと接点８ｂとを有するリレーで構成し、接点８ｂを交流１００Ｖ電源と給電手段６との間に接続し、コイル８ａを駆動部９に接続し、家庭電気製品収納棚３が家庭電気製品収納部２内に収納されていると検知したとき、棚位置知手段７がこれを検知し、給電手段６への給電を停止するよう構成している。なお、１０は、家庭電気製品４を給電手段６に接続するプラグである。
【００１７】
表示部（報知手段）１１は、制御手段８により給電手段６への給電を停止したとき表示（報知）するよう構成したもので、図４に示すように、異常表示ランプ１２を点灯して表示するよう構成している。
【００１８】
上記構成において動作を説明する。家庭電気製品収納部２内の家庭電気製品収納棚３を、図１の２点鎖線で示すように前方に引き出し、この家庭電気製品収納棚３上に家庭電気製品４を載置し、プラグ１０を給電手段６に接続する。このとき、交流１００Ｖ電源より制御手段８の接点８ｂを介して給電手段６に給電され、家庭電気製品４は動作可能な状態にある。その後、家庭電気製品４の動作を開始することで、所定の動作をさせることができる。
【００１９】
ここで、家庭電気製品収納棚３を後方に移動させて家庭電気製品４を家庭電気製品収納部２内に収納すると、棚位置知手段７がこれを検知し、その出力により駆動部９を介して制御手段８を動作させ、給電手段６への給電を停止し、家庭電気製品４の動作を停止する。これにより、家庭電気製品４を家庭電気製品収納部２内に収納した状態では通電動作することがないため、家庭電気製品４から発生する輻射熱を防熱する必要がなくなる。また、このとき、表示部１１の異常表示ランプ１２を点灯して給電手段６への給電を停止したことを報知する。
【００２０】
以上のように、本実施の形態においては、キャビネット１内に、家庭電気製品４を収納する前面が開口した家庭電気製品収納部２を設け、この家庭電気製品収納部２に家庭電気製品４へ給電する給電手段６を設け、家庭電気製品収納部２に家庭電気製品４を載置して前方に引き出し自在な家庭電気製品収納棚３を設けるよう構成し、この家庭電気製品収納棚３の位置を検知する棚位置検知手段７により家庭電気製品収納棚３が家庭電気製品収納部２内に収納されていると検知したとき、給電手段６への給電を停止するよう構成したので、家庭電気製品４を使用する場合は家庭電気製品収納棚３を引き出して使用し、収納状態では通電動作することがないため、家庭電気製品４から発生する輻射熱を防熱する必要がなく、コンパクトな家庭電気製品収納庫を提供することができる。
【００２１】
（実施の形態２）
図５〜図７に示すように、扉開閉検知手段１３は、扉５の開閉を検知するもので、扉開閉検知手段１３により扉５が閉められていると検知したとき、制御手段８を介して給電手段６への給電を停止するよう構成している。他の構成は上記実施の形態１と同じであり、同一符号を付して説明を省略する。
【００２２】
上記構成において動作を説明する。家庭電気製品収納部２内の家庭電気製品収納棚３を、図５の２点鎖線で示すように前方に引き出し、この家庭電気製品収納棚３上に家庭電気製品４を載置し、家庭電気製品収納棚３を後方に移動させて家庭電気製品４を家庭電気製品収納部２内に収納し、プラグ１０を給電手段６に接続する（扉５は開いた状態）。このとき、交流１００Ｖ電源より制御手段８の接点８ｂを介して給電手段６に給電され、家庭電気製品４は動作可能な状態にある。その後、家庭電気製品４の動作を開始することで、所定の動作をさせることができる。
【００２３】
ここで、扉５を閉めると、扉開閉知手段１３がこれを検知し、その出力により駆動部９を介して制御手段８を動作させ、給電手段６への給電を停止し、家庭電気製品４の動作を停止する。これにより、扉５を閉めた状態では通電動作することがないため、家庭電気製品４から発生する輻射熱を防熱する必要がなくなる。また、このとき、表示部１１の異常表示ランプ１２を点灯して給電手段６への給電を停止したことを報知する。
【００２４】
以上のように、本実施の形態においては、キャビネット１内に、家庭電気製品４を収納する前面が開口した家庭電気製品収納部２を設け、この家庭電気製品収納部２に家庭電気製品４へ給電する給電手段６を設け、家庭電気製品収納部２の前面開口部を扉５により開閉自在に覆うよう構成し、扉５の開閉を検知する扉開閉検知手段１３により扉５が閉められていると検知したとき、給電手段６への給電を停止するよう構成したので、扉５を閉めた状態では通電動作することがなく、扉に家庭電気製品４から発生する輻射熱を防熱する必要がなく、コンパクトで扉を設けた家庭電気製品収納庫を提供することができる。
【００２５】
（実施の形態３）
図８および図９に示すように、キャビネット１４は、前面が開口した第１の家庭電気製品収納部１５を有し、この第１の家庭電気製品収納部１５の中に引き出しレール（図示せず）により前後方向に移動自在に第１の家庭電気製品収納棚１６を設け、この第１の家庭電気製品収納棚１６に家庭電気製品４を載置して第１の家庭電気製品収納部１５内に家庭電気製品４を収納するように構成している。
【００２６】
第２の家庭電気製品収納部１７は、キャビネット１４内に第１の家庭電気製品収納部１５に並設し、前面が開口して家庭電気製品４を収納するもので、この第２の家庭電気製品収納部１７の中に引き出しレール（図示せず）により前後方向に移動自在に第２の家庭電気製品収納棚１８を設け、この第２の家庭電気製品収納棚１８に家庭電気製品４を載置している。この第２の家庭電気製品収納部１７の天面に家庭電気製品４から排出される熱気、蒸気を外部へ排出する排出装置１９を設けている。
【００２７】
第１の家庭電気製品収納部１５および第２の家庭電気製品収納部１７の前面に扉２０を開閉自在に設け、この扉２０に吸気口２１を設け、排出装置１９に排気口２２を設けている。
【００２８】
第１の給電手段２３および第２の給電手段２４は、それぞれコンセントにより構成し、家庭電気製品４を接続して給電するもので、第１の家庭電気製品収納部１５および第２の家庭電気製品収納部１７に設けている。棚位置知手段２５は、第１の家庭電気製品収納棚１６の位置を検知するもので、棚位置知手段２５の出力により制御手段２６を動作するよう構成している。
【００２９】
すなわち、図１０に示すように、制御手段２６はコイル２６ａと接点２６ｂとを有するリレーで構成し、接点２６ｂを交流１００Ｖ電源と第１の給電手段２３との間に接続し、コイル２６ａを駆動部２７に接続し、第１の家庭電気製品収納棚１６が第１の家庭電気製品収納部１５内に収納されていると検知したとき、棚位置知手段２５がこれを検知し、第１の給電手段２３への給電を停止するよう構成している。表示部（報知手段）２８は、制御手段２６により第１の給電手段２３への給電を停止したとき表示（報知）するよう構成している。
【００３０】
上記構成において動作を説明する。第１の家庭電気製品収納部１５内の第１の家庭電気製品収納棚１６を、図８に示すように、前方に引き出し、この第１の家庭電気製品収納棚１６上に家庭電気製品４を載置し、プラグを第１の給電手段２３に接続する。このとき、第１の家庭電気製品収納棚１６に載置した家庭電気製品４は、交流１００Ｖ電源より制御手段２６の接点２６ｂを介して第１の給電手段２３に給電され動作可能な状態にある。その後、家庭電気製品４の動作を開始することで、所定の動作をさせることができる。
【００３１】
ここで、第１の家庭電気製品収納棚１６を後方に移動させて家庭電気製品４を第１の家庭電気製品収納部１５内に収納すると、棚位置知手段２５がこれを検知し、その出力により駆動部２７を介して制御手段２６を動作させ、第１の給電手段２３への給電を停止し、家庭電気製品４の動作を停止する。これにより、家庭電気製品４を第１の家庭電気製品収納部１５内に収納した状態では通電動作することがないため、家庭電気製品４から発生する輻射熱を防熱する必要がなくなる。また、このとき、表示部２８の異常表示ランプを点灯して第１の給電手段２３への給電を停止したことを報知する。
【００３２】
一方、第２の家庭電気製品収納部１７内の第２の家庭電気製品収納棚１８を、同様にして前方に引き出し、この第２の家庭電気製品収納棚１８上に家庭電気製品４を載置し、プラグを第２の給電手段２４に接続する。このとき、第２の家庭電気製品収納棚１８に載置した家庭電気製品４は、交流１００Ｖ電源より第２の給電手段２４に給電され動作可能な状態にある。その後、家庭電気製品４の動作を開始することで、所定の動作をさせることができる。
【００３３】
ここで、第２の家庭電気製品収納棚１８を後方に移動させて家庭電気製品４を第２の家庭電気製品収納部１７内に収納し、扉２０を閉めた状態で所定の動作をさせた場合には、第２の家庭電気製品収納部１７の天面に設けた排出装置１９を動作させることにより、吸気口２１より吸気し、排気口２２より廃棄することで第２の家庭電気製品収納部１７内の空気が入れ替わり、家庭電気製品４から排出される熱気、蒸気を外部へ排出することができる。したがって、家庭電気製品４が蒸気を排出するものであっても、第２の家庭電気製品収納部１７に収納したままで所定の動作をさせることができる。
【００３４】
以上のように、本実施の形態においては、キャビネット１４内に、家庭電気製品４を収納する前面が開口した第１の家庭電気製品収納部１５と、家庭電気製品４を収納する前面が開口し天面に家庭電気製品４から排出される熱気、蒸気を外部へ排出する排出装置１９を設けた第２の家庭電気製品収納部１７とを設け、これら第１および第２の家庭電気製品収納部１５、１７にそれぞれ家庭電気製品４へ給電する第１給電手段２３および第２の給電手段２４を設けるとともに、家庭電気製品４を載置して前方に引き出し自在な第１の家庭電気製品収納棚１６および第２の家庭電気製品収納棚１８を設け、第１の家庭電気製品収納棚１６の位置を検知する棚位置検知手段２５により第１の家庭電気製品収納棚１６が第１の家庭電気製品収納部１５内に収納されていると検知したとき、第１の給電手段２３への給電を停止するよう構成したので、第１の家庭電気製品収納棚１６に載置して第１の家庭電気製品収納部１５内に家庭電気製品４を収納した状態では、第１の給電手段２３への給電を停止するので家庭電気製品４は動作することがなく、発生する輻射熱が大きい家庭電気製品であっても特別な防熱構造が必要となることはなく、また、蒸気を排出する家庭電気製品４は第２の家庭電気製品収納部１７に収納したままで使用可能であり、コンパクトな家庭電気製品収納庫を提供することができる。
【００３５】
（実施の形態４）
図１１〜図１３に示すように、扉開閉検知手段２９は、第１の家庭電気製品収納部１５および第２の家庭電気製品収納部１７の前面に開閉自在に設けた扉２０の開閉を検知するもので、扉開閉検知手段２９により扉２０が閉められていると検知したとき、制御手段２６を介して第１の給電手段２３への給電を停止するよう構成している。他の構成は上記実施の形態３と同じであり、同一符号を付して説明を省略する。
【００３６】
上記構成において動作を説明する。第１の家庭電気製品収納部１５内の第１の家庭電気製品収納棚１６を、図１１に示すように、前方に引き出し、この第１の家庭電気製品収納棚１６上に家庭電気製品４を載置し、家庭電気製品収納棚１６を後方に移動させて家庭電気製品４を第１の家庭電気製品収納部１５内に収納し、プラグを第１の給電手段２３に接続する（扉２０は開いた状態）。このとき、第１の家庭電気製品収納棚１６に載置した家庭電気製品４は、交流１００Ｖ電源より制御手段２６の接点２６ｂを介して第１の給電手段２３に給電され動作可能な状態にある。その後、家庭電気製品４の動作を開始することで、所定の動作をさせることができる。
【００３７】
ここで、扉２０を閉めると、扉開閉知手段２９がこれを検知し、その出力により駆動部２７を介して制御手段２６を動作させ、第１の給電手段２３への給電を停止し、家庭電気製品４の動作を停止する。これにより、扉２０を閉めた状態では通電動作することがないため、家庭電気製品４から発生する輻射熱を防熱する必要がなくなる。また、このとき、表示部２８の異常表示ランプを点灯して給電手段６への給電を停止したことを報知する。
【００３８】
一方、第２の家庭電気製品収納部１７内の第２の家庭電気製品収納棚１８を、同様にして前方に引き出し、この第２の家庭電気製品収納棚１８上に家庭電気製品４を載置し、プラグを第２の給電手段２４に接続する。このとき、第２の家庭電気製品収納棚１８に載置した家庭電気製品４は、交流１００Ｖ電源より第２の給電手段２４に給電され動作可能な状態にある。その後、家庭電気製品４の動作を開始することで、所定の動作をさせることができる。
【００３９】
ここで、第２の家庭電気製品収納棚１８を後方に移動させて家庭電気製品４を第２の家庭電気製品収納部１７内に収納し、扉２０を閉めた状態で所定の動作をさせた場合には、第２の家庭電気製品収納部１７の天面に設けた排出装置１９を動作させることにより、吸気口２１より吸気し、排気口２２より廃棄することで第２の家庭電気製品収納部１７内の空気が入れ替わり、家庭電気製品４から排出される熱気、蒸気を外部へ排出することができる。したがって、家庭電気製品４が蒸気を排出するものであっても、第２の家庭電気製品収納部１７に収納したままで所定の動作をさせることができる。
【００４０】
以上のように、本実施の形態においては、キャビネット１４内に、家庭電気製品４を収納する前面が開口した第１の家庭電気製品収納部１５と、家庭電気製品４を収納する前面が開口し天面に家庭電気製品４から排出される熱気、蒸気を外部へ排出する排出装置１９を設けた第２の家庭電気製品収納部１７とを設け、これら第１および第２の家庭電気製品収納部１５、１７にそれぞれ家庭電気製品４へ給電する第１給電手段２３および第２の給電手段２４を設け、第１および第２の家庭電気製品収納部１５、１７の前面開口部を扉２０により開閉自在に覆い、この扉２０の開閉を検知する扉開閉検知手段２９により扉２０が閉められていると検知したとき、第１の給電手段２３への給電を停止するよう構成したので、第１の家庭電気製品収納棚１６に載置して第１の家庭電気製品収納部１５内に家庭電気製品４を収納し扉２０を閉めた状態では、第１の給電手段２３への給電を停止するので家庭電気製品４は動作することがなく、発生する輻射熱が大きい家庭電気製品４であっても特別な防熱構造が必要となることはなく、また、蒸気を排出する家庭電気製品４は第２の家庭電気製品収納部１７に収納し扉２０を閉めたままで使用可能であり、すっきりしたキッチン空間を実現した家庭電気製品収納庫を提供することができる。
【００４１】
なお、本実施の形態では、扉２０は第１の家庭電気製品収納部１５および第２の家庭電気製品収納部１７の前面に開閉自在に設けているが、第１の家庭電気製品収納部１５および第２の家庭電気製品収納部１７の前面にそれぞれ別の扉を設け、それぞれの扉に扉開閉検知手段を設けてもよく、同様の作用、効果を得ることができる。
【産業上の利用可能性】
【００４２】
本発明にかかる家庭電気製品収納庫は、家庭電気製品から発生する輻射熱を防熱する必要がなく、コンパクトな家庭電気製品収納庫を提供することができるので、家庭電気製品を収納した状態で使用できるようにした家庭電気製品収納庫として有用である。
【図面の簡単な説明】
【００４３】
【図１】本発明の実施の形態１における家庭電気製品収納庫の断面図
【図２】同家庭電気製品収納庫の正面図
【図３】同家庭電気製品収納庫の一部ブロック化した回路図
【図４】同家庭電気製品収納庫の表示部の拡大正面図
【図５】本発明の実施の形態２における家庭電気製品収納庫の断面図
【図６】同家庭電気製品収納庫の正面図
【図７】同家庭電気製品収納庫の一部ブロック化した回路図
【図８】本発明の実施の形態３における家庭電気製品収納庫の断面図
【図９】同家庭電気製品収納庫の正面図
【図１０】同家庭電気製品収納庫の一部ブロック化した回路図
【図１１】本発明の実施の形態４における家庭電気製品収納庫の断面図
【図１２】同家庭電気製品収納庫の正面図
【図１３】同家庭電気製品収納庫の一部ブロック化した回路図
【符号の説明】
【００４４】
１  キャビネット
２  家庭電気製品収納部
３  家庭電気製品収納棚
４  家庭電気製品
６  給電手段
７  棚位置検知手段
【図１】
2006334128.tif 000003
【図２】
2006334128.tif 000004
【図３】
2006334128.tif 000005
【図４】
2006334128.tif 000006
【図５】
2006334128.tif 000007
【図６】
2006334128.tif 000008
【図７】
2006334128.tif 000009
【図８】
2006334128.tif 000010
【図９】
2006334128.tif 000011
【図１０】
2006334128.tif 000012
【図１１】
2006334128.tif 000013
【図１２】
2006334128.tif 000014
【図１３】
2006334128.tif 000015